(57)【要約】【課題】  より多くのパチンコ玉を貯留可能であり、かつ、設置作業を不便なく行うことが可能であるパチンコ機島ユニットを提供する。【解決手段】  腰下ユニットと、島柱ユニットと、上部ユニットとにより、パチンコ機島ユニットを概略構成する。何れか１又は２以上の腰下ユニットを、パチンコ玉を貯留可能に構成したタンクユニットによって代替構成する。腰下ユニットの一部を構成する膳板ユニットのうちタンクユニット上面に載置するものをタンク用膳板により、当該タンク用膳板上面に載置固定する島柱ユニットをタンク用島柱ユニットにより、それぞれ代替構成する。従来であれば設置した腰下ユニットの間に設置しなければならなかったパチンコ玉タンクを、タンクユニットによって代替構成したのでタンク設置が簡単になった。併せて、パチンコ玉貯留量を増加することができた。【選択図】    図９
2008055080.tif 000002
【特許請求の範囲】
【請求項１】
高さ方向に互いに分割可能な腰下ユニット群と、島柱ユニット群と、上部ユニット群と、を含めて構成してあり、
当該腰下ユニット群が、腰下連結構造によって長手方向に連結し、かつ、幅方向対向配置した複数の腰下ユニットから構成してあり、
当該腰下ユニット各々が、床面上に載置可能な腰下基部と、当該腰下基部の上部に着脱可能な膳板ユニットと、を含めて構成してあり、
当該島柱ユニット群が、対向配置させた当該腰下ユニット群間の長手方向所定間隔毎に設置した複数の島柱ユニットから構成してあり、
当該上部ユニット群が、上部連結構造によって長手方向に連結し、かつ、幅方向対向配置させた複数の上部ユニットから構成してあり、かつ、当該島柱ユニット各々との間に設けた上部支持構造を介して当該島柱ユニット群の上部に支持させてある遊技機設置用のパチンコ機島ユニットにおいて、
前記腰下ユニット群を構成する何れか１又は２以上の腰下ユニットが、パチンコ玉を貯留可能に構成したタンクユニットによって代替構成してあり、
当該タンクユニット上面には、当該膳板ユニットの代替となるタンク用膳板を載置固定してあり、
当該タンク用膳板上面には、当該島柱ユニットの代替となるタンク用島柱ユニットを載置固定してある
ことを特徴とするパチンコ機島ユニット。
【請求項２】
前記タンクユニットが、矩形の底板と、当該底板周縁から起立する複数のタンク側板と、を有する上部開口の箱体によって外観構成してあり、
当該タンク側板には、パチンコ玉排出用の排出口を形成してあり、
当該底板上には、当該排出口からパチンコ玉を転動排出させるための傾斜部材を取り外し可能に載置してある
ことを特徴とする請求項１記載のパチンコ機島ユニット。
【請求項３】
前記底板には、複数の据付孔を貫通形成してあり、
当該据付孔各々が、床に固定した固定ベース上に当該底板を載置状態で固定するための固定ボルトを貫通可能に構成してある
ことを特徴とする請求項２記載のパチンコ機島ユニット。
【請求項４】
前記底板の床側の面には、パチンコ機島幅方向に対向させた位置決め部材を形成してあり、
当該位置決め部材間に固定ベースを受け入れさせることによって当該固定ベースと当該底板間の相対位置を決定可能に構成してある
ことを特徴とする請求項２又は３記載のパチンコ機島ユニット。
【請求項５】
前記上部ユニット各々下端にはパチンコ機の支持枠上部を、当該支持枠内側から釘固定又はネジ固定するための上部固定ブロックを設けてあり、
前記腰下ユニット各々上端には当該支持枠下部を、当該支持枠内側から釘固定又はネジ固定するための腰下ブロックを設けてあり、
当該上部固定ブロックが、当該上部ユニットに固定した上部ブロック本体と、当該上部ブロック本体の下端側に当該上部ブロック本体のみに対して取替可能に固定した上部取替板と、を含めて構成してあり、
当該腰下ブロックが、当該腰下ユニットに対して少なくとも部分的に取替可能に構成してあり、
当該釘又はネジの先端が、当該上部取替板を貫通して当該上部ブロック本体に達するように構成してあり、
当該釘又はネジの先端が、当該腰下取替板を貫通して当該腰下ユニットに達するように構成してある
ことを特徴とする請求項１乃至４いずれか記載のパチンコ機島ユニット。
【発明の詳細な説明】
【技術分野】
【０００１】
この発明は、パチンコ機群を取り付けてパチンコ機島を構成するためのパチンコ機島ユニットに関するものである。
【背景技術】
【０００２】
パチンコ機島の腰下部分、すなわち、島内部の床の上部領域には、貯留タンクが設けられている（たとえば、特許文献１参照）。特許文献１に記載された貯留タンク（以下、適宜「従来のタンク」という）は、主としてパチンコ機から排出されたパチンコ玉（アウト玉）を一時貯留するためのものであり、併設されるパチンコ玉研磨装置やパチンコ玉揚送装置等に貯留していたパチンコ玉を供給可能に構成されている。従来のタンクは、一般に上部開口の鉄製箱体により外観構成されていて、この箱体の四隅から垂下する脚部を介してパチンコ遊技場床面上に載置されるようになっている。
【特許文献１】特開２０００−２４２８８（段落０００６、０００７、図１、図１７参照）
【発明の開示】
【発明が解決しようとする課題】
【０００３】
しかしながら、特許文献１の図１が示すように従来のタンクは、パチンコ機島内部に設置するものであるから、パチンコ機島の幅寸法よりも短い幅寸法に形成せざるを得ない。換言すると、パチンコ機島の外枠とタンクとの間に、隙間が生じる。隙間が生じるため、少なくともその分だけタンクの貯留量を多く出来ない、という第１の問題点がある。さらに、上述したように従来のタンクはパチンコ機島内部に設置するものであるため、その設置に際して不便が伴う。つまり、パチンコ機島を完成させてからタンクを内部設置することは物理的にできないから、パチンコ機島未完成の状態でタンクを設置し、設置後にパチンコ島を完成させるという順番で作業を行う必要がある。このため、作業手順に制約が生じたり、パチンコ機島完成後の仕様変更に対応しづらかったりして、作業者に不便を感じさせる場合があった。これが、従来のタンクの第２の問題点である。本発明が解決しようとする課題は、上記二つの問題を一気に解決することにある。すなわち、同じ大きさのパチンコ島に設置する場合であっても、より多くのパチンコ玉を貯留可能であり、かつ、設置作業を不便なく行うことが可能であるパチンコ機島ユニットを提供することにある。
【課題を解決するための手段】
【０００４】
上記した課題を解決するために発明者は、試行錯誤の結果、貯留タンク自体をユニット化することを思いついた。その構成の詳しい内容は、次項以下で説明する。なお、何れかの請求項に記載した発明の説明において行う用語の定義等は、その性質上可能な範囲で他の請求項に記載した発明の説明にも適用されるものとする。
【０００５】
（請求項１に記載した発明の特徴）
請求項１に記載した発明に係る遊技機設置用のパチンコ機島ユニット（以下、「請求項１のユニット」という）は、次の構成を備えるパチンコ機島ユニットである。すなわち、高さ方向に互いに分割可能な腰下ユニット群と、島柱ユニット群と、上部ユニット群と、を含めて構成してある。当該腰下ユニット群は、腰下連結構造によって長手方向に連結し、かつ、幅方向対向配置した複数の腰下ユニットから構成してあり、当該腰下ユニット各々は、床面上に載置可能な腰下基部と、当該腰下基部の上部に着脱可能な膳板ユニットと、を含めて構成してある。当該島柱ユニット群は、対向配置させた当該腰下ユニット群間の長手方向所定間隔毎に設置した複数の島柱ユニットから構成してある。さらに、当該上部ユニット群は、上部連結構造によって長手方向に連結し、かつ、幅方向対向配置させた複数の上部ユニットから構成してあり、かつ、当該島柱ユニット各々との間に設けた上部支持構造を介して当該島柱ユニット群の上部に支持させてある。上記構造を前提として、前記腰下ユニット群を構成する何れか１又は２以上の腰下ユニットが、パチンコ玉を貯留可能に構成したタンクユニットによって代替構成してある。タンクユニットによる代替構成に合わせるために、当該タンクユニット上面には、当該膳板ユニットの代替となるタンク用膳板を載置固定してあり、当該タンク用膳板上面には、当該島柱ユニットの代替となるタンク用島柱ユニットを載置固定してある。タンクユニットの幅寸法は、パチンコ機島の腰下ユニットの幅寸法と略同じ幅寸法に形成してあり、同長さ寸法は、腰下ユニットの長さ寸法に合わせた長さ寸法に形成しておくことが好ましい。相異なる長さ寸法のタンクユニットを複数用意しておき、その中からパチンコ遊技場の状況に適合するものを選択使用すると便利である。
【０００６】
請求項１のユニットによれば、腰下ユニット群と、島柱ユニット群と、上部ユニット群とを連結することによってパチンコ機島が完成する。ここで、腰下ユニット群を構成する１又は２以上の腰下ユニットの代わりにタンクユニットによって構成することによって、パチンコ機島の幅寸法と略等しい幅寸法までタンクの幅寸法を広げることができる。今までは腰下ユニットとタンクとの間に隙間を形成せざるを得ず、その隙間分のスペースが無駄になっていたが、タンクユニットを設置することによって上記隙間分のスペースをパチンコ玉貯留のために使用することが可能になる。これによって、同じスペース内に設置するとした場合、タンクユニットのほうが従来のタンクよりもたくさんパチンコ玉を貯留させることができる。さらに、腰下ユニットの代わりにタンクユニットを設置するだけで、併せて貯留タンク設置を行ったことになる。したがって、パチンコ機島（貯留タンク）の設置を効率よく行うことができる。これに加え、パチンコ機島未完成の状態でタンク設置を行い、その後に未完成部分を完成させるというような作業手順の制約がなくなるので、作業者に不便を感じさせることがほとんどない。なお、タンクユニットの設置に伴い、タンク用膳板及びタンク用島柱ユニットが、それぞれ膳板ユニット及び島柱ユニットの代替物として機能する。
【０００７】
（請求項２に記載した発明の特徴）
請求項２に記載した発明に係る遊技機設置用のパチンコ機島ユニット（以下、「請求項２のユニット」という）では、請求項１のユニットの基本的構成を備えさせた上で、前記タンクユニットが、矩形の底板と、当該底板周縁から起立する複数のタンク側板と、を有する上部開口の箱体によって外観構成してある。当該タンク側板には、パチンコ玉排出用の排出口を形成してあり、当該底板上には、当該排出口からパチンコ玉を転動排出させるための傾斜部材を取り外し可能に載置してある。
【０００８】
請求項２のユニットによれば、請求項１のユニットの作用効果に加え、箱体であるタンクユニットにパチンコ玉が貯留される。貯留されたパチンコ玉は、排出口から排出されるが、この排出は、傾斜する底板上でパチンコ玉を転動又は滑走させることによって行われる。底板と傾斜部材とは別体であり、取り外し可能であることから、たとえば、磨耗による新旧傾斜部材の交換、傾斜部材の傾斜角度の変更、たとえば新旧タンクユニットの交換の際に傾斜部材を取り外して底板を露出させればタンクユニットの取り外し等、を容易に行うことができる。
【０００９】
（請求項３に記載した発明の特徴）
請求項３に記載した発明に係る遊技機設置用のパチンコ機島ユニット（以下、「請求項３のユニット」という）では、請求項２のユニットの基本的構成を備えさせた上で、前記底板には、複数の据付孔を貫通形成してあり、当該据付孔各々が、床に固定した固定ベース上に当該底板を載置状態で固定するための固定ボルトを貫通可能に構成してある。
【００１０】
請求項３のユニットによれば、請求項２のユニットの作用効果に加え、底板と固定ベースとを介してタンクユニットを床にボルト固定することができる。パチンコ機島の設置現場では、設計段階では把握しきれない様々な調整が必要である。たとえば、床面に凹凸があったり、僅かな寸法誤差が積み重なることによって調整が必要なレベルまで誤差が大きくなったり、する場合がある。このような場合に、たとえば、ボルトの締め込み程度や、据付孔の遊びを利用したボルト位置の調整を行うことによって、適切な位置に適切な状態でタンクユニットを設置することを可能にする。固定ベースの床据付の際に微調整を行うことによって、上記適切設置をより確実なものとすることもできる。
【００１１】
（請求項４に記載した発明の特徴）
請求項４に記載した発明に係る遊技機設置用のパチンコ機島ユニット（以下、「請求項４のユニット」という）では、請求項２又は３のユニットの基本的構成を備えさせた上で、前記底板の床側の面には、パチンコ機島幅方向に対向させた位置決め部材を形成してあり、当該位置決め部材間に固定ベースを受け入れさせることによって当該固定ベースと当該底板間の相対位置を決定可能に構成してある。
【００１２】
請求項４のユニットによれば、請求項２又は３のユニットの作用効果に加え、位置決め部材間に固定ベースを受け入れさせることにより、タンクユニットの位置決めを簡単に行うことができる。設置後の位置ずれ防止も期待できる。タンクユニットはきわめて多数のパチンコ玉を貯留するためのものであるから、相応に頑丈にできている。このため、一般には簡単には動かせない程度に重くできている。そのように重いタンクユニットを据え付ける作業は、与えられた狭い空間の中で行う作業だけに、たいへん重労働である。そのような重労働を少しでも軽くするために、タンクユニットの位置決めを簡単に行い得るということは、たいへん重要である。
【００１３】
（請求項５に記載した発明の特徴）
請求項５に記載した発明に係る遊技機設置用のパチンコ機島ユニット（以下、「請求項５のユニット」という）では、請求項１乃至４いずれかのユニットの基本的構成を備えさせた上で、前記上部ユニット各々下端にはパチンコ機の支持枠上部を、当該支持枠内側から釘固定又はネジ固定するための上部固定ブロックを設けてあり、前記腰下ユニット各々上端には当該支持枠下部を、当該支持枠内側から釘固定又はネジ固定するための腰下ブロックを設けてある。ここで、当該上部固定ブロックが、当該上部ユニットに固定した上部ブロック本体と、当該上部ブロック本体の下端側に当該上部ブロック本体のみに対して取替可能に固定した上部取替板と、を含めて構成してあり、当該腰下ブロックが、当該腰下ユニットに対して少なくとも部分的に取替可能に構成してある。上記構成において、当該釘又はネジの先端が、当該上部取替板を貫通して当該上部ブロック本体に達するように構成してあり、当該釘又はネジの先端が、当該腰下取替板を貫通して当該腰下ユニットに達するように構成してある。
【００１４】
請求項５のユニットによれば、請求項１乃至４いずれかのユニットの作用効果に加え、まず、パチンコ機の支持枠が上部固定ブロックと腰下ブロックによって上下支持される。具体的には、支持枠上部が上部固定ブロック（上部ブロック本体及び上部取替板）に、支持枠下部が腰下ブロックに、それぞれ釘又はネジによって固定される。釘又はネジは、支持枠上部の内側及び上部取替板を貫通して上部ブロック本体に達し、併せて、支持枠下部の内側を貫通して腰下ブロックに達して固定するに十分な長さであり、達することによって、支持枠と上部固定ブロック（腰下ブロック）との固定が確実に行われる。上記釘又はネジは、パチンコ機を交換するために引き抜かれる場合があり、この引き抜きによって上部固定ブロック及び腰下ブロックには抜き孔が残る。打ち込みと抜き取りが行われるたびに、抜き孔の数が増えていく。抜き孔は、それが、たとえば、個数が２〜３個程度である場合は問題とならないが、それを超すと孔だらけとなって釘（ネジ）を打ち込む場所がなくなる。既に空いている抜き孔に釘（ネジ）を打ち込むこともできるが、一度空けた孔に打ち込んでも遊びがあって充分な固定効果を期待できないおそれがある。そこで、請求項５のユニットによれば、抜き孔が空いた上部取替板（腰下ブロック）を、上部ブロック本体（腰下ブロック）に対して取り付け取り外しできるように構成した。すなわち、抜き孔が空いた上部取替板（腰下ブロック）を新しいものと取り替えることによって、上部ブロック本体（腰下ブロック）の抜け孔が覆い隠され（新しいものと交換され）、釘（ネジ）を打ち込む余地が新たに生まれる。上部ブロック本体（腰下ブロック）と共に取り替えようとすると上部ユニット（腰下ユニット）自体を分解する必要があるが、これに比べ、上部取替板（腰下ブロック）のみの交換であれば極めて簡単である。
【発明の効果】
【００１５】
本発明に係るパチンコ機島ユニットよれば、同じ大きさのパチンコ機島に設置する場合であっても、より多くのパチンコ玉を貯留可能であり、かつ、作業者に不便を感じさせることの少ない設置が可能であるパチンコ機島ユニットを提供することができる。
【発明を実施するための最良の形態】
【００１６】
次に、各図を参照しながら、本発明を実施するための最良の形態（以下、「本実施形態」という）について説明する。図１は、パチンコ機島ユニットの斜視図である。図２は、島柱ユニットの設置状態を示す斜視図である。図３は、図１に示すパチンコ機島ユニットのＡ−Ａ断面図である。図４は、島柱ユニットの斜視図である。図５は、水平受け板の上に載置した島柱ユニットの部分斜視図である。図６は、図５に示す島柱ユニットの右側面図である。図７は、固定ベースの斜視図である。以下に行う説明の主対象は、後述する変形例に係るタンクユニットにある。タンクユニットは、次に述べる本実施形態に係る腰下ユニット（貯留タンク）の代替物としてユニットに設置するものである。そのような関係にあることから以下においては、タンクユニットを持たない代替前の構造を本実施形態として最初に説明し、その後、代替後の構造を腰下ユニットの変形例として説明する。なお、以下において、パチンコ機島ユニットのことを単に「ユニット」と呼ぶことにする。
【００１７】
（パチンコ機島ユニットの概要）
図１を参照しながら、ユニット１について説明する。ユニット１は、高さ方向に互いに分割可能な腰下ユニット群３と、島柱ユニット群５と、上部ユニット群７と、を含めて構成してある。すなわち、腰下ユニット群３と、島柱ユニット群５と、上部ユニット群７の三者は、互いに別体であって、これらを高さ方向に積み上げることによってユニット１が構成される。なお、本明細書では、腰下ユニット群３と表示する場合は複数ある腰下ユニット全体の総称を意味し、これとは別に腰下ユニット３と表示する場合は単体の腰下ユニットを意味するものとする。島柱ユニット（群）５や上部ユニット（群）７のほか、これらと同じく表示する他の部材についても同様とする。腰下ユニット群３を構成する各腰下ユニット３は長手方向（図１の紙面左右方向）に連結し、かつ、幅方向（図１の紙面厚み方向）に背中合わせに対向配置してある。上部ユニット群７を構成する各上部ユニット７についても、同様に連結し配置してある。図１の向かって右端に示す腰下ユニット３及び上部ユニット７が、他の腰下ユニット３及び他の上部ユニット７よりも長手方向の寸法を短く設定したのは、そのパチンコ機島を設置する敷地の状況に合わせて寸法調整を行うためである。図１に示すパチンコ機島ユニット１に、たとえば、パチンコ玉揚送装置（図示を省略）や、パチンコ玉を貯留するための貯留タンク（図示を省略）を設置する場合には、このユニット１の他に上記パチンコ玉揚送装置等に即したユニットを併設することを妨げない。
【００１８】
（腰下ユニットの構造）
図１乃至３を参照する。腰下ユニット群３を構成する各腰下ユニット３は、長手方向の寸法が異なるものもあるが、それ以外の基本構造に変わるところがない。このため、以下においては、１台の腰下ユニットの構造についてのみ説明を行う。腰下ユニット３は、床面上に載置可能な腰下基部１１と、腰下基部１１の上部に着脱可能な膳板ユニット１３と、腰下基部１１の起立補助を行わせるための固定ベース１９と、を含めて構成してある。固定ベース１９の構造については後述する。腰下基部１１は、ユニット１の長手方向に沿って長い正面視長方形の起立基板１１−１と、起立基板１１−１の上に横置き固定した水平受け板１７と、水平受け板１７の長手方向両端と中ほどから起立する縦板１１−３，・・縦板１１−３，・・の上端に横置き固定した横板１１−５と、から構成してある。図１に示す符号１１−７は、腰下ユニット３（腰下基部１１）同士を連結するために隣接する縦板１１−３，１１−３を重ね貫通するボルト及びナット（腰下連結構造）を示している。水平受け板１７は、対向配置させた他の腰下ユニット３方向（腰下ユニット３，３間の隙間）に突き出させてある。
【００１９】
膳板ユニット１３は、膳板１３ａと、膳板１３ａを下方から支持させるための支持ブロック１３ｂと、支持ブロック１３ｂの通路側（遊技者から見える側）端面に固定する当て板１３ｃと、膳板１３ａの上面島柱ユニット５側に載置固定した島長手方向に長い長板１３ｄと、から構成してある。長板１３ｄは、その上面にパチンコ機１１１を載置するための板である。支持ブロック１３ａは、膳板１３ａと一体であっても一体化可能な状態の別体であってもよい。一体化するには、釘、ネジ、接着剤等を適宜使用することができる。なお、膳板ユニット１３は、使用するしないに関わらず始めから製造し在庫しておくこともできるが、パチンコ機島を構成しようとするときに始めて製造してこれを使用するようにしてもよい。余分な在庫を持たずに必要に応じた臨機応変な製造及び使用を可能とするためである。必要に応じた製造と使用が可能な点は、後述する島柱ユニットや上部ユニット等についても同じである。固定ベース１９は、起立基板１１−１の内側に位置してその起立を補助するとともに、水平受け板１７をその下方から補強支持する機能を有している。固定ベース１９は、各腰下ユニット３の長さ方向両端に配してあり、図２に示すように島端に位置する場合は対向する腰下ユニット３，３間のみの共通部材として使用するが、島端以外の箇所では対向する腰下ユニット３，３間のみではなく隣接する腰下ユニット３，３間でも共通部材として使用する。つまり、前者の場合は２個の腰下ユニット３，３のを載置して、後者の場合は４個の腰下ユニット３，３，・・を載置して使用する。
【００２０】
（固定ベースの構造）
図７を中心に併せて図１乃至３を参照しながら、固定ベース１９の具体的構造について説明する。固定ベース１９は、肉厚矩形のベース板１９−１と、ベース板１９−１の長さ方向両端に溶接固定した支持ブロック１９−２，１９−２と、から概ね構成してある。各支持ブロック１９−２は、天板１９−３と、ベース板１９−１の幅方向両端から起立して天板１９−３両端につながる起立板１９−４，１９−４と、から構成してある。各天板１９−３には、ベース板１９−１の長さ方向に僅かに長い長孔１９−３ｈ，１９−３ｈを、ベース板１９−１の幅方向に並べて貫通形成してある。各長孔１９−３ｈは、上述した腰下基部１１その他の部材を固定するためのボルト（図示を省略）を貫通させるための孔である。各起立板１９−４は、図７から明らかなように、補強のために幅方向両端を屈曲させてある。なお、符号１９−１ｈ，１９−１ｈ（一方は左側の支持ブロック１９−２に隠れて見えない）はベース板１９−１を床固定するためのアンカーボルト（図示を省略）を貫通させるためのボルト孔を、符号１９−６，・・は床面に対するベース板１９−１のレベル調整を行うためのベースボルトを、それぞれ示している。
【００２１】
（島柱ユニットの構造）
図２乃至６を参照しながら、島柱ユニット５について説明する。島柱ユニット５は、平行起立する２本の支柱３１，３１と、支柱３１，３１を連結するための連結アーム（連結構造）３３，・・によって梯子状に形成してあり、対向させた腰下ユニット３，３間に起立させ、腰下ユニット群３と上部ユニット群７とを連結する機能を持たせてある。支柱３１，３１及び連結アーム３３・・は、何れも断面矩形の中空金属性パイプによって構成してあり、接合は溶接等により適宜行うようになっている。支柱３１，３１の下端には、ユニット１の長手方向に長い板を断面Ｌ字状に屈曲させて形成したガイド片３５，３５を固定してある（図４〜６参照）。具体的なガイド片３５，３５は、支柱３１，３１に固定するガイド板部３５ａ，３５ａと、ガイド板部３５ａ，３５ａに対して下方に屈曲する屈曲片部３５ｂ，３５ｂによって構成してある。ガイド板部３５ａ，３５ａは水平受け板１７の上面内側に固定したガイド板１８の上に載置可能に、かつ、載置したときに屈曲片部３５ｂ，３５ｂがガイド板１８の内側端面に当接可能に、構成してある（図５参照）。屈曲片部３５ｂ，３５ｂをガイド板１８の端面に当接させてあるのは、ガイド片３５，３５（島柱ユニット５）をユニット１の幅方向に対する位置決めを可能にするためである。
【００２２】
ガイド片３５，３５は、その上に起立する支柱３１，３１とともにガイド板１８の上をユニット１長手方向にスライド可能に構成してあり、そのように構成したのは、ユニット１に遊技機を設置する際にユニット長手方向の調整を可能とするためである。ガイド板部３５ａ，３５ａには、ネジ３５ｓ，・・を螺合可能とするネジ孔３５ｈ，３５ｈを設けてある。図５に示すようにネジ孔３５ｈ，３５ｈを螺合貫通させたネジ３５ｓ，・・は、その下端が水平受け板１７の上に載置した細長の受け板３５ｐ，・上面に当接可能になっていて、この当接によってガイド片３５，３５を水平受け板１７に固定可能に構成してある。なお、図３及び５に示す符号５１は、膳板１３ａの内側端面に当接して膳板１３ａを支柱３１にネジ固定するための当て片を示している。同じく符号５３は、ドブ板側板１０５を支柱３１にネジ固定するためのドブ板固定片を示している。図５に示すドブ板側板１０５，１０５は、腰下ユニット３，３間に設けられるドブ１０１を底板１０３（図２、３参照）とともに構成するためのものである。ドブ１０１とは、パチンコ機島を構成する各パチンコ機１１１（図３参照）から排出された遊技済みのパチンコ玉を、図外のパチンコ玉研磨機等へ搬送するための搬送路のことをいう。遊技済みパチンコ玉の搬送は、図２において、底板１０３が同図の右から左にかけて下り傾斜していることを利用して行われるようになっている。
【００２３】
図４乃至６に記載した符号３９は、支柱３１，３１の下端部側端に固定した伸縮支持棒を示している。伸縮支持棒３９は、伸長したときに下端が床面Ｇ（図６参照）に着地して島柱ユニット５及び島柱ユニット５が負担する荷重を水平受け板１７との間で分担負担可能に構成してある。具体的な構造は、次のとおりである。伸縮支持棒３９は、支柱３１のユニット内側側端部及び屈曲片部３５ｂに溶接固定した断面矩形の中空支持棒４１と、中空支持棒４１の下端に固定した固定ナット４３と、固定ナット４３と螺合して中空支持棒４１内に出没自在に構成した伸縮棒４７と、伸縮棒４７に螺合して伸縮棒４７を固定ナット４３に対して固定するための締付ナット４５と、から構成してある。締付ナット４５を弛めた状態における伸縮棒４７は、それを円周方向に回転させることにより固定ナット４３（中空支持棒４１）に対して出没するようになっていて、この出没が、伸縮支持棒３９全体の伸長と短縮とを可能にする。伸縮支持棒３９が伸長すると、上述したようにその下端が床面に着地可能に、かつ、短縮するとその着地状態が解除され、ガイド片３５がガイド板１８に対してユニット長手方向にスライド可能になる。伸縮支持棒３９が短縮すると島柱ユニット５に加わる全荷重が水平受け板１７に加えられるが、これは、ガイド片をスライドさせるときだけの状態であり、スライド完了後に伸長させれば着地した伸縮支持棒３９と水平受け板１７とにより荷重を分担負担可能であることは上述した通りである。
【００２４】
島柱ユニット５の上部側端には、ユニット１の幅方向外側に突出する支持部材５７，５７を固定してあり、同じく上端には、載せ片５９，５９を載置固定してある（図２、３参照）。支持部材５７は、ユニット幅方向に開口する横向きＹ字状に形成してあり、そのＹ字の開口に上部ユニット７の縦板６１（後述）を挟持しつつネジ固定可能に構成してある。載せ片５９は、上部ユニット７の横板６３（後述）を載せてネジ固定可能とするためのものである。支持部材５７，５７及び載せ片５９，５９は、本実施形態において上部支持構造として機能する。なお、図１右端に示す符号２３は、ユニット１の末端に設けた木製島柱を示している。木製島柱２３は、平行起立する一対の木製支柱２５，２５と、木製支柱２５，２５を連結する木製連結アーム２７と、によりＨ字状に構成してあり、膳板１３ａ（長板１３ｄ）の上に起立させてある。木製島柱２３は、その上面に上部ユニット７を固定してあり、その側面には２点鎖線で示す妻板２９をビス固定してある。妻板２９は、厚手の単板又は合板によって構成してあり、その下端面は床面に着地させてある。妻板２９は、ユニット１内部を隠す機能と、木製島柱２３を支持する機能と、ユニット１の幅方向の補強を行う機能と、を兼ね備えている。木製島柱２３は、これを島柱ユニット５を流用することも可能であるが、金属製の島柱ユニット５よりも安価にするためと、妻板２９をビス固定できるようにするために木製としてある。
【００２５】
（上部ユニットの構造）
図１乃至３を参照しながら、上部ユニット７について説明する。図１に示すように、上部ユニット７は複数の縦板６１，・・と、これら縦板６１，・・の上下端を連結する横板６３，・・と両端の縦板６１，・・の前面に固定する化粧板６５と、から概ね構成してある。隣接する上部ユニット７，７同士は、図１において符号６７で示す上部連結構造によって連結可能に構成してある。本実施形態における上部連結構造６７は、縦板６１，６１を締付固定可能なボルトとナットとにより構成してある。この上部連結構造６７により締付固定された２枚の縦板６１，６１が、図２に示す支持部材５７，５７により挟持させネジ固定する。横板６３，６３を載せ片５９，５９の上に載置してボルトによりレベル調整を行うものである。
【００２６】
（島柱ユニットの変形例）
図８を参照しながら、本実施形態に係る島柱ユニット５の変形例について説明する。図８は、島柱ユニット５の変形例を示す斜視図である。図８に示す島柱ユニットと図５に示す島柱ユニットとの間で異なるのは、両者が有するガイド片に構造上の違いがある点と、島柱ユニット５が有するガイド板を同変形例が有しない点である。上記２点の相違は島柱ユニット全体から見れば僅かな変形に過ぎないため、原則として図５に示す符号と同じ符号を図８でも使用するとともに、両者間で異なる部材（部分）についてだけ図５で使用した符号に「´（ダッシュ）」を付したものを図８で使用する。本変形例に係る島柱ユニット５の具体的構造は、次のとおりである。すなわち、本変形例に係る島柱ユニット５は、上述したガイド片３５´，３５´を備えている。ガイド片３５´，３５´は、支柱３１，３１に固定するガイド板部３５´ａ，３５´ａと、ガイド板部３５´ａ，３５´ａに対して上方に屈曲する屈曲片部３５´ｂ，３５´ｂによって構成してある。屈曲片部３５´ｂ，３５´ｂは、伸縮支持棒３９，３９から見て裏側の支柱３１，３１側面に溶接固定してある。上記した屈曲と固定は、いずれもガイド板部３５´ａ，３５´ａを補強するためのものである。本実施形態に係る屈曲片部３５ｂ，３５ｂはガイド板１８の端面に当接させるために下方屈曲させてあるのに対し、屈曲片部３５´ｂ，３５´ｂは支柱３１，３１の側面に固定するために上方屈曲させてある点が異なっている。さらに、ガイド板部３５´ａ，３５´ａは水平受け板１７の上面に、受け板３５´ｐを介して載置可能に構成してある。ガイド片３５´，３５´の固定は、ガイド板部３５´ａ，３５´ａに貫通形成したネジ孔３５´ｈ，３５´ｈを介したネジ３５´ｓ，・・の螺合によって行うようにしてある。本実施形態で使用したガイド板１８は、本変形例では使用していない。
【００２７】
（腰下ユニットの変形例）
図９乃至１３を参照しながら、腰下ユニットの変形例について説明する。図９は、タンクユニットの斜視図であり、図１０及び１１は、タンクユニットの側面図である。図１２は、タンクユニットを備えるパチンコ機島の正面図である。図１３は、箱体の平面図である。本変形例に係る腰下ユニットは、前述した腰下ユニット３の代わりに使用するものであって、ここでは、タンクユニットと呼ぶ。図１に示す本実施形態では、対向する腰下ユニット３，３，・・間に、図示は省略したが貯留タンクを設置していた（前掲パチンコ機島ユニットの概要の欄参照）。本変形例では、上記腰下ユニット３，３，・・の代わりにタンクユニットを設置する。上記した貯留タンクも不要となる。説明を本変形例に戻す。タンクユニット９３は、矩形の底板９２と、底板９２周縁から起立するタンク側板９３ａ，９３ａ，９３ｂ，９３ｂと、を有する上部開口の箱体９１によって外観構成してある。タンク側板９３ａ，９３ａはタンクユニット９３の長辺を構成する側板であり、タンク側板９３ｂ，９３ｂは同じく短辺を構成する側板である。玉排出側（図の左側）のタンク側板９３ｂの下端には、パチンコ玉を排出するための排出口９３ｅを貫通形成してある（図１２参照）。底板９２の上面には、底板９２の長さ方向略等間隔を隔てて複数（本変形例では１１本）の起立支持板９２ａ１〜９２ａ１１を、底板９２の幅方向に沿って固定してある。各起立支持板は、底板９２の幅寸法より僅かに短い長さ寸法に形成してあるが、その高さ寸法は９２ａ１〜９２ａ１１の数字順に高くなるように設定してある。つまり、排出口９３ｅに最も近い起立支持板９２ａ１が最も低く設定してあり、その隣に配した起立支持板９２ａ２は起立支持板９２ａ１よりも高く、さらにその隣に配した起立支持板９２ａ３は起立支持板９２ａ２よりも高くなるといった具合で起立支持板９２ａ１１に至るまで順に高くなるように設定してある。順に高くなるように設定したのは、起立支持板９２ａ１〜９２ａ１１の上に載置した板状部材（傾斜部材９５）を、傾斜状態を保たさせながら分担して下支えさせるためである。傾斜部材９５の傾斜は、タンクユニット９３内（傾斜部材９５の上）にあるパチンコ玉を排出口９３ｅに向かって転動させ、かつ、そこから排出可能とするための傾斜である。パチンコ玉の排出は、ミニリフト（図示を省略）の駆動により行われ、駆動停止により遮断されるようにしてある。ミニリフトは、図１２に仮想線で示す床面上に設置したミニリフトベース１０７の上に載置し、排出口９３ｅから排出されたパチンコ玉を所定高さまで揚送するための装置である。傾斜部材９５は、載置したときにタンク側板９３ａ，９３ａ，９３ｂ，９３ｂとの間にパチンコ玉が入り込まないように、かつ、タンクユニット９３内に貯留されるパチンコ玉の総重量に耐え得る強度を備えるように構成する。載置した傾斜部材９５は、載置後にタンク側板９３ａ，９３ａの外からネジ固定する。ネジ固定としたのは、簡単に取り外しできるようにすることによって、傾斜部材９５の保守・点検や取替等を行いやすくするためである。取り替えやすいものであればネジ以外の構成でもよいことは勿論である。なお、図示は省略するが、傾斜部材９５の上面にはゴムシート等の緩衝部材を貼り付けておくことが好ましい。パチンコ玉の衝撃を吸収させ、磨耗防止や防音等を図るためである。さらに、転動するパチンコ玉を排出口９３ｅに導くためのガイド片（９５ｐ，９５ｐ（図１３参照））等を傾斜部材９５上面に排出口９３ｅに向かって幅狭となるように設けておくこともできる。パチンコ玉の転動方向を排出口９３ｅに向かわせることによって効率よく玉排出させるためである。底板９２には、所定箇所に据付孔９２ｈ，・・を貫通形成してある（図１１参照）。各据付孔９２ｈは、後述する固定ボルト９２Ｂ，・・を貫通させるための孔であり、据付先となる固定ベース１９，・・の長孔１９−３ｈ，・・に対応した位置に各々形成してある。
【００２８】
図１１乃至１３に示すように、各タンク側板９３ａのタンク内側上端部には、複数個（本変形例では３個）のガイド溝９３ｇ，・・を、長さ方向略等間隔を隔てて切欠形成してある。各ガイド溝９３ｇは、各々上端方向と、対向するガイド溝９３ｇ方向の二方向に開口する矩形の凹みである。対向する１対のガイド溝９３ｇ，９３ｇには、それぞれ渡し板９３ｐの両端を縦にして嵌め入れることによって、対向するタンク側板９３ａ，９３ａを連結させるための部材である。嵌め入れた渡し板９３ｐの長さ方向端面に、タンク側板９３ａ，９３ａの外側から釘９４を打ち込んで固定する（図１３内拡大図参照）。固定した渡し板９３ｐの上端面は、タンク側板９３ａ，９３ａの上端面と略同一面を形成するように設定する。つまり、渡し板９３ｐ上端面とタンク側板９３ａ，９３ａの上端面とが同じ高さに位置するように構成する。後述するように膳板１３´ａを載置固定可能とするためである。上記ガイド溝９３ｇと並ぶ他のガイド溝９３ｇ，９３ｇにも、上記同様に渡し板９３ｐ，９３ｐを嵌め入れてネジ９４，・・によって固定する。ネジ９４を固定部材として使用したのは、ネジであれば取り外しが容易だからであり、取り外し可能としておくことにより、渡し板９３ｐ，・・の取り外しをより簡単なものとすることができるからである。もっとも、ネジの代わりに釘等を使用することを妨げる趣旨ではない。渡し板９３ｐ，・・の取り外しは、たとえば傾斜部材９５の取り外しの際に必要となる。なお、図１１に示すように、渡し板９３ｐの上部を角型Ｕ字状に切り欠いて切欠９３ｊを形成したのは、パチンコ機（図示を省略）の背面から突き出る各種部材との接触を回避させるためのものである。
【００２９】
図９乃至１２に示すように底板９２の下面（床面と対向する面）には、幅方向に対向する一対の位置決め部材（平行突条）９２ｃ，９２ｃと、当て片９２ｄ，９２ｄ，・・をネジ固定してある。位置決め部材９２ｃ，９２ｃは、固定ベース１９に対するタンクユニット９３の幅方向位置決めを容易にするための板材であって、底板９２の長さ方向に沿って配してある。このため、位置決め部材９２ｃ，９２ｃの対向面９２ｃ１，９２ｃ１間の距離は、上記対向面９２ｃ１，９２ｃ１間に固定ベース１９の支持ブロック１９−２，１９−２が僅かな遊びを介して収納可能となるように設定してある。つまり、収納された支持ブロック１９−２，１９−２の幅方向側面上端１９−２ａ，１９−２ａに、位置決め部材９２ｃ，９２ｃの対向面９２ｃ１，９２ｃ１を当接させることによって幅方向位置決めが完了するようにしてある。この位置決め可能機能は、限られたスペースしかないパチンコ遊技場において重量物であるタンクユニット９３を設置する上で極めて重要である。設置したタンクユニット９３は、底板９２に形成した据付孔９２ｈ，・・を介して貫通させた固定ボルト９２Ｂ，・・の先端を、支持ブロック１９−２，１９−２に貫通させ内側からナット９２Ｎを螺合させることによって行うようにしてある。当て片９２ｄ，９２ｄ，・・は、起立基板１１−１，１１−１，・・をパチンコ機島幅方向外側からネジ固定するための被固定部として機能を有しており、固定ベース１９を避けながら底板９２の長さ方向所定間隔を介して対向配置してある。符号９３ｓはタンク側板９３ａの外側に対して着脱自在に構成した側板用パネルを、符号１１−１ｐは起立支持板１１−１の外側に対してネジ固定した支持板用パネルを、それぞれ示している。
【００３０】
タンクユニット９３の幅寸法は、パチンコ機島の腰下ユニット３の幅寸法と略同じ幅寸法に形成してある（図１０参照）。腰下ユニット３の幅寸法と略同じに形成したのは、大掛かりな改造や調整等を行うことなくタンクユニット９３を腰下ユニット３の代わりとして設置可能とするためである。タンクユニット９３の長さ寸法は、代替される腰下ユニットの長さ寸法に合わせて形成することもできるが、段階的に異なる長さ寸法のタンクユニットを予め用意しておけば、その中から設置しようとするパチンコ遊技場の状況に適合するものを選択使用すると便利である。本変形例では、長さ寸法１２００ミリメートルから２４００ミリメートルまでの寸法差１２００ミリメートルを３００ミリメートル毎に４段階に分けて合計５種類のタンクユニット９３を用意したが、この組み合わせは一例であって、寸法差の設定方法やタンクユニットの長さ別種類数等に何ら制限はない。タンクユニット９３（タンク側板９３ａ，９３ａ，９３ｂ，９３ｂ）の高さ寸法は、図９から理解されるように、固定ベース１９上にあるタンクユニット９３の上の膳板１３´ａと、他のユニットの膳板１３ａ（図９では図外）と、が同一平面を形成するように設定してある。つまり、タンクユニット９３上の膳板１３´ａと、図外の他の膳板１３ａ，・・とが同じ高さとなるように設定してある。なお、図１０及び１１に示すタンク側板９３ｂ上端部に形成した角型Ｕ字状の切欠９３ｋは、樋（分配樋）９３ｈ（図１２参照）を、タンクユニット９３内に掛け渡すための切欠である。樋９３ｈはタンクユニット９３より上流にある図外のパチンコ機から排出されたアウト玉を上面上で転動させ、転動に際して両脇に溢れ落下させることによってタンクユニット９３内に分配するための板状樋である。ちなみに、タンクユニット９３上にあるパチンコ機から排出されたアウト玉は、直接タンクユニット９３内に落下するようになっている。図１２が含む符号９３ｆ，・・は、吊り下げ具を示している。吊り下げ具９３ｆ，・・は、タンクユニット９３内で樋９３ｈを吊り下げ支持させるために、その上端部を膳板１３ａ及び長板１３ｄ（図２を併せて参照）に固定するとともに下端部を樋９３ｈに固定してある。吊り下げ具９３ｆ，・・は、樋９３ｈをミニリフトベース１０７に向かって下り傾斜させるため、ミニリフトベース１０７に最も近いものを最も長く、ミニリフトベース１０７から離れるに従って短く形成してある。
【００３１】
図９乃至１１を参照しながら、タンクユニット９３とともに使用する膳板１３´ａ，１３´ａ及び島柱ユニット５´について説明する。図２に示す本実施形態に係る膳板ユニット１３及び島柱ユニット５を、併せて参照すると理解しやすい。図９及び１０が示すように本変形例では、本実施形態で用いた膳板ユニット１３，１３の代替となる膳板１３´ａ，１３´ａを、タンクユニット９３（タンク側板９３ａ，９３ａ，９３ｂ，９３ｂ）の上端に取り外し可能に直接ネジ固定してある。つまり、膳板１３´ａ，１３´ａは、タンクユニット９３に対応させるために膳板ユニット１３，１３の代替物として製作したタンク用膳板である。前項において述べたようにタンクユニット９３の高さ寸法が膳板１３´ａ，１３´ａの設置に適するように設定してあるため、高さ調整のためのユニットを構成しなくても直接固定が可能である。前述したように渡し板９３ｐ，・・の上端面と、タンク側板９３ａ，９３ａの上端面と略同一面を形成するように設定してあるから、渡し板９３ｐ，・・にも併せて膳板１３´ａ，１３´ａをネジ固定する。渡し板９３ｐ，・・を含むタンクユニット９３（箱体９１）全体で下方支持させてあるため、パチンコ機１１１（図１０参照）や後述する島柱ユニット５´を下方支持させるに充分な強度を膳板１３´ａ，１３´ａに持たせることができる。膳板１３´ａ，１３´ａの上面には、所定厚みを持った同上面長さ方向に長い長板１３´ｄ，１３´ｄを載置固定してある。長板１３´ｄ，１３´ｄは、膳板１３´ａ，１３´ａの幅寸法の半分よりも僅かに短い幅寸法の長板１３´ｄ，１３´ｄであって、対向する長板端面を膳板端面と略一致させた位置に配してある。長板１３´ｄ，１３´ｄには、所定位置に矩形の切欠１３´ｈを形成して、その部分から膳板１３´ａ，１３´ａを部分露出させてある。露出部分に島柱ユニット５´を載置固定するための加工であるが、この点の説明は、後述する島柱ユニット５´の説明の中で行う。図９に示す符号１３´ｅ，１３´ｅは、膳板１３´ａ，１３´ａの上面に長板１３´ｄ，１３´ｄと隣接する位置にネジ固定した細長い載置補助部材を示している。載置補助部材１３´ｅ，１３´ｅには、長板１３´ｄ，１３´ｄと同じ厚みと同じ長さを持たせてある。両者を合わせることによって、両者合体上面上にパチンコ機１１１，・・（図１０参照）を載置可能とするためである。
【００３２】
他方、一体とせずに長板１３´ｄ，１３´ｄと載置補助部材１３´ｅ，１３´ｅとを分離した理由は、次のとおりである。図１１及び図１５を参照する。図１５は、腰下ユニットの拡大側面図である。すなわち、膳板１３´ａ，１３´ａには、符号１３´ａ−１，１３´ａ−１で示すステンレス製の保護カバーを被せるようになっている。各保護カバー１３´ａ−１は、膳板１３´ａの外側端面を包み、同上面を被覆し、さらに、細木１３´ｅの側面及び上面を被覆している。つまり、細木１３´ｅを被覆する部分の保護カバー１３´ａ−１は、側面視階段状になっていて、その階段平面部は細木１３´ｅの上面は被覆するが長板１３´ｄ上面には至っていない。つまり、長板１３´ｄと細木１３´ｅとは、保護カバー１３´ａ−１の存在にかかわらず互いに独立している。独立させた理由は、次のとおりである。設置してあるパチンコ機１１１を、たとえば、交換するときに長板１３´ｄを併せて交換する場合がある。パチンコ機１１１の取り付けは、パチンコ機１１１の支持枠を長板１３´ｄ等に釘固定することにより行い、取り外しは釘を抜き取ることにより行うようになっている。このため、たとえば交換を繰り返した結果、長板１３´ｄに多数の釘孔が残って、次の釘を打ち込む箇所がなくなってしまう場合がある。このような場合は、長板１３´ｄを膳板１３´ａから取り外し、代わりに新しい長板１３´ｄを取り付けて対処する。つまり、長板１３´ｄの取り替えである。ここで、長板１３´ｄと細木１３´ｅとを一体化させてあったと仮定すると、取り外しに際して細木１３´ｅをも取り外さなくてはならなくなり、その前提として保護カバー１３´ａ−１の取り外しまでが必要となる。これでは、たいへん煩わしい。そのような煩わしさを避けるために、長板１３´ｄと細木１３´ｅとを、保護カバー１３´ａ−１の存在にかかわらず互いに独立させたのである。独立させることによって、長板１３´ｄのみという部分的取替で足りるようになった。なお、上記長板１３´ｄと細木１３´ｅとの組み合わせることにより、又は、細木１３´ｅを省略してその分、長板１３´ｄの幅寸法を増加することにより、パチンコ機１１１を載置可能に構成したものを、本明細書では「腰下ブロック」と呼ぶ場合がある。この腰下ブロックは、本変形例に係るタンクユニット９３だけでなく、前述した本実施形態に係る腰下ユニット３にも適用可能であることは言うまでもない。
【００３３】
（島柱ユニットの変形例）
図９乃至１２を参照する。図２に示す島柱ユニット５は、床面から起立させるように構成してあるが、タンクユニット９３に使用する島柱ユニット５´は、膳板１３´ａから起立させるように構成してある。床面上には箱体９１があるため島柱ユニット５をそのまま使用することができないからである。つまり、島柱ユニット５´は、タンクユニット９３に対応させるために島柱ユニット５の代替物として製作したタンク用島柱ユニットである。島柱ユニット５´が島柱ユニット５と異なるのは、起立箇所及び起立構造のみである。したがって、以下の説明は、異なる部分についてだけ対象とし、島柱ユニット５と共通する部分については対象外とし図２で使用した部材番号をそのまま図９乃至１１で使用するに止める。
【００３４】
島柱ユニット５´が有する支柱３１´，３１´は、同ユニットを膳板１３´ａ上に設置したときに、上部ユニット７が他の島柱ユニット５の上部ユニット７と同じ高さになるように、その高さを設定してある（図１２参照）。主としてパチンコ機群１１１及び上部ユニット群７について島柱ユニット全体の統一を図るためである。支柱３１´，３１´の下端には、矩形の取付板３５´´，３５´´を溶接固定してあり、取付板３５´´，３５´´は、切欠１３´ｈ，切欠１３´ｈを介して部分露出した膳板１３´ａ，１３´ａ上に載置可能に形成してある。載置した取付板３５´´，３５´´は、これらを膳板１３´ａ，１３´ａに取り外し可能にネジ固定することによって島柱ユニット５´を膳板１３´ａ，１３´ａ上に起立させてある。上記以外の部分の島柱ユニット５´の構造は、図５又は８に示す島柱ユニット５の構造と異ならない。
【００３５】
（上部ユニットの変形例）
図９乃至１１及び図１４を参照しながら、上部ユニットの変形例について説明する。図１４は、上部ユニットの変形例を示す側面図である。上部ユニット７´は、たとえば、図３に示す上部ユニット７と基本的に同じ構造及び機能を有しているが、次の点で変形を施してある。その変形は、上部ユニット７´が有する縦板６１，・・の下端同士を水平方向に連結する上部固定ブロック６４−１，・・についてである。各上部固定ブロック６４−１は、上部ユニット７（７´）に固定した上部ブロック本体６４−３と、上部ブロック本体６４−３の下端側に上部ブロック本体６４−３のみに対して取替可能にネジ６４ｄ，６４ｄによって固定した上部取替板６４−５と、を含めて構成してある。ネジ６４ｄ，６４ｄは、それらの先端が、上部取替板６４−５を貫通して上部ブロック本体６４−３に達するように構成してある。上部取替板６４−５を取替可能に構成した理由は、前述した腰下ブロック（長板１３´ｄ及び細木１３´ｅ）と同じである。すなわち、パチンコ機１１１の取替に伴ってできた釘孔（ネジ孔）が残ってしまうので、上部取替板６４−５を取り替えることによって上部ブロック本体６４−３に残った釘孔（ネジ孔）を覆い隠して次の釘（ネジ）を打ち込みやすくするためである。上部取替板６４−５のみの取替であれば、上部ブロック本体６４−３を併せて取り替える場合に比べて遥かに簡単である。
【００３６】
（タンクユニットの設置手順）
図１６及び１７を参照しながら説明する。図１６及び１７は、タンクユニットの設置手順を段階的に示す側面図及び正面図である。タンクユニット９３の設置は、まず、床面に固定ベース１９，・・を所定間隔を介して直線状に配置することから始める（図１６（ａ）、図１７（ａ）参照）。次に、タンクユニット９３（箱体９１）を固定ベース１９，・・の上に載置する。各固定ベース１９に対する箱体９１の幅方向（図１６左右方向）の位置決めは、位置決め部材９２ｃ，９２ｃを用いて行うことができるので、極めて簡単である。幅方向位置決めが完了したら、長さ方向（図１７左右方向）の位置決めを行う。位置決めが完了したら、箱体９１を固定ベース１９，・・にボルト固定する（図１６（ｂ）、図１７（ｂ）参照）。次いで、傾斜部材９５を設置する（図１６（ｃ）、図１７（ｃ））。起立支持板９２ａ１〜９２ａ１１の上に載置した傾斜部材９５の側端をタンク側板９３ａ，９３ａの外からネジ固定する。傾斜部材９５を取り替えるときは、上記ネジを緩めて取り外し、別の傾斜部材９５（図示を省略）を、上記手順で取り替えればよい。渡し板９３ｐ，・・をガイド溝９３ｇ，９３ｇに嵌め入れ、タンク側板９３ａ，９３ａの外からネジ固定する（図１６（ｄ）、図１７（ｄ））。最後に、膳板１３´ａや島柱ユニット５´等を設置してタンクユニット９３の設置を完了する。
【図面の簡単な説明】
【００３７】
【図１】パチンコ機島ユニットの斜視図である。
【図２】島柱ユニットの設置状態を示す斜視図である。
【図３】図１に示すパチンコ機島ユニットのＡ−Ａ断面図である。
【図４】島柱ユニットの斜視図である。
【図５】水平受け板の上に載置した島柱ユニットの部分斜視図である。
【図６】図５に示す島柱ユニットの右側面図である。
【図７】固定ベースの斜視図である。
【図８】島柱ユニットの変形例を示す斜視図である。
【図９】タンクユニットの斜視図である。
【図１０】タンクユニットの側面図である。
【図１１】タンクユニットの側面図である。
【図１２】タンクユニットを備えるパチンコ機島の正面図である。
【図１３】箱体の平面図である。
【図１４】上部ユニットの変形例を示す側面図である。
【図１５】腰下ユニットの拡大側面図である。
【図１６】タンクユニットの設置手順を段階的に示す側面図である。
【図１７】タンクユニットの設置手順を段階的に示す正面図である。
【符号の説明】
【００３８】
１                      パチンコ機島ユニット
３                      腰下ユニット（群）
５                      島柱ユニット（群）
７                      上部ユニット（群）
１１                      腰下基部
１３                      膳板ユニット
１３ａ                    膳板
１３ｂ                    支持ブロック
１３ｃ                    当て板
１３ｄ，１３´ｄ          長板
１３´ｅ                  載置補助部材
１７                      水平受け板
１８                      ガイド板
１９                      固定ベース
２３                      木製島柱
２５                      支柱
２７，３３                連結アーム
２９                      妻板
３１                      支柱
３５                      ガイド片
３９                      伸縮支持棒
４１                      中空支持棒
４３                      固定ナット
４５                      締付ナット
４７                      伸縮棒
５１                      当て片
５３                      ドブ板固定板
５７                      支持部材
５９                      載せ片
６１                      縦板
６３                      横板
６４−１                  上部固定ブロック
６４−３                  上部ブロック本体
６４−５                  上部取替板
６４ｄ                    ネジ（釘）
６５                      化粧板
６７                      上部連結構造
９１                      箱体
９２                      底板
９２ｃ                    位置決め部材（平行突条）
９２ｈ                    据付孔
９２Ｂ                    固定ボルト
９３                      タンクユニット
９３ａ                    タンク側板
９３ｅ                    排出口
９５                      傾斜部材
１０１                      ドブ
１０３                      底板
１０５                      ドブ側板
１０７                      ミニリフトベース
１１１                      パチンコ機
【図１】
2008055080.tif 000003
【図２】
2008055080.tif 000004
【図３】
2008055080.tif 000005
【図４】
2008055080.tif 000006
【図５】
2008055080.tif 000007
【図６】
2008055080.tif 000008
【図７】
2008055080.tif 000009
【図８】
2008055080.tif 000010
【図９】
2008055080.tif 000011
【図１０】
2008055080.tif 000012
【図１１】
2008055080.tif 000013
【図１２】
2008055080.tif 000014
【図１３】
2008055080.tif 000015
【図１４】
2008055080.tif 000016
【図１５】
2008055080.tif 000017
【図１６】
2008055080.tif 000018
【図１７】
2008055080.tif 000019